【手続補正書】
【提出日】平成18年11月13日(2006.11.13)
【手続補正１】
【補正対象書類名】明細書
【補正対象項目名】特許請求の範囲
【補正方法】変更
【補正の内容】
【特許請求の範囲】
【請求項１】  次式（Ｉ）の化合物又はその製薬上許容され得る塩。
2002525323.tif 000001
（式中、Ａｒは置換されていてもよい脂環式アリールまたは置換されていてもよいヘテロアリール基であり;
Ｈｅｔは置換されていてもよいＮ、Ｏ、Ｓ、Ｓ（Ｏ）またはＳ（Ｏ２）であり;
各Ｘ、各Ｙ、各Ｘ’、各Ｙ’および各Ｚはそれぞれ独立して、水素、ハロゲン、ヒドロキシル、スルフヒドリル、アミノ、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノであり;
ｍは２から４までの整数であり、ｎは０から４までの整数であり；およびｐは１である。）
【請求項２】  次式（ＩＩ）で表される請求項１に記載の化合物又はその製薬上許容され得る塩。
2002525323.tif 000002
（式中、Ｈｅｔは置換されていてもよいＮ、Ｏ、Ｓ、Ｓ（Ｏ）またはＳ（Ｏ２）であり;
各Ｘ、各Ｙ、各Ｘ’、各Ｙ’および各Ｚはそれぞれ独立して、水素、ハロゲン、ヒドロキシル、スルフヒドリル、アミノ、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノであり;
Ｒ１は独立して、ハロゲン、アミノ、ヒドロキシ、ニトロ、カルボキシ、スルフヒドリル、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノ、置換されていてもよいアルカノイル、置換されていてもよい脂環式アリール、又は置換されていてもよいアラルキルであり;
ｍは２から４までの整数であり；
ｎは０から４までの整数であり；
ｐは１であり；及び
ｑは０から５までの整数である。）
【請求項３】  次式（ＩＩＩ）の化合物又はその製薬上許容され得る塩。
2002525323.tif 000003
（式中、各Ｘ、各Ｙ、各Ｘ’、各Ｙ’および各Ｚはそれぞれ独立して、水素、ハロゲン、ヒドロキシル、スルフヒドリル、アミノ、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノであり;
Ｗは、水素、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、置換されていてもよいアルキルアミノ、置換されていてもよいアルカノイル、置換されていてもよい脂環式アリール、又は置換されていてもよいアラルキルであり;
Ｒ１は独立して、ハロゲン、アミノ、ヒドロキシ、ニトロ、カルボキシ、スルフヒドリル、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノ、置換されていてもよいアルカノイル、置換されていてもよい脂環式アリール、又は置換されていてもよいアラルキルであり;
ｍは０であり、ｎは０から４までの整数であり;
ｐは１または２であり;及び
ｑは０から５までの整数である。）
【請求項４】  次式（ＩＩＩａ）で表される請求項３に記載の化合物又はその製薬上許容され得る塩。
2002525323.tif 000004
（式中、Ｒ１は独立して、ハロゲン、アミノ、ヒドロキシ、ニトロ、カルボキシ、スルフヒドリル、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、置換されていてもよいアルキルアミノ、置換されていてもよいアルカノイル、置換されていてもよい脂環式アリール又は置換されていてもよいアラルキルであり；および、
ｑは０から５までの整数である。）
【請求項５】  次式（ＩＶ）の化合物又はその製薬上許容され得る塩。
2002525323.tif 000005
（式中、各Ｘ、各Ｙ、各Ｘ’、各Ｙ’および各Ｚはそれぞれ独立して、水素、ハロゲン、ヒドロキシル、スルフヒドリル、アミノ、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノであり;
Ｒ１は独立して、ハロゲン、アミノ、ヒドロキシ、ニトロ、カルボキシ、スルフヒドリル、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、置換されていてもよいアルキルアミノ、置換されていてもよいアルカノイル、置換されていてもよい脂環式アリール又は置換されていてもよいアラルキルであり；
ｍは０から４までのの整数であり；
ｎは１から４までの整数であり;
ｐは１または２であり;及び
ｑは０から５までの整数である。）
【請求項６】  次式（ＩＶａ）で表される請求項５に記載の化合物又はその製薬上許容され得る塩。
2002525323.tif 000006
（式中、各Ｘ’および各Ｙ’は独立して、水素、ハロゲン、ヒドロキシル、スルフヒドリル、アミノ、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、又は置換されていてもよいアルキルアミノであり；
Ｒ１は独立して、ハロゲン、アミノ、ヒドロキシ、ニトロ、カルボキシ、スルフヒドリル、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、置換されていてもよいアルキルアミノ、置換されていてもよいアルカノイル、置換されていてもよい脂環式アリール又は置換されていてもよいアラルキルであり；
ｎは１から４までの整数であり;および、
ｑは０から５までの整数である。）
【請求項７】ｎが１であり、ｐが１である、請求項１〜３又は５のいずれかに記載の化合物。
【請求項８】Ｒ１がヒドロキシである、請求項２〜６のいずれかに記載の化合物。
【請求項９】  Ｒ１の少なくとも１つはヒドロキシであり、ｍが１または２である、請求項５に記載の化合物。
【請求項１０】  次式で表わされる化合物より選択される化合物又はその製薬上許容され得る塩。
2002525323.tif 000007
【請求項１１】  化合物が次式のいずれかである、請求項１０に記載の化合物又はその製薬上許容され得る塩。
2002525323.tif 000008
【請求項１２】請求項１〜１１のいずれかに記載の化合物又はその製薬上許容される塩並びに担体、賦形剤又は安定化剤を含む組成物。
【請求項１３】下記式（Ｉ）の化合物を含む哺乳動物における血液凝固を阻害するための組成物。
2002525323.tif 000009
（式中、Ａｒは置換されていてもよい脂環式アリールまたは置換されていてもよいヘテロアリール基であり;
Ｈｅｔは置換されていてもよいＮ、Ｏ、Ｓ、Ｓ（Ｏ）またはＳ（Ｏ２）であり;
各Ｘ、各Ｙ、各Ｘ’、各Ｙ’および各Ｚはそれぞれ独立して、水素、ハロゲン、ヒドロキシル、スルフヒドリル、アミノ、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノであり;
ｍとｎはそれぞれ独立に０から４までの整数であり；及び
ｐは１又は２である。）
【請求項１４】  哺乳動物が、血栓症、挿入性医学的処置（invasive medical procedure）と関係する再狭窄、心臓血管疾患と関係する血栓塞栓症状態、感染性疾患、又は腫瘍性疾患に罹患しているか、その疑いがあるか、又は回復している哺乳動物である、請求項１３に記載の組成物。
【請求項１５】化合物が下記式（ＩＩＩ）で表される化合物である、請求項１３に記載の組成物。
2002525323.tif 000010
（式中、各Ｘ、各Ｙ、各Ｘ’、各Ｙ’および各Ｚはそれぞれ独立して、水素、ハロゲン、ヒドロキシル、スルフヒドリル、アミノ、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノであり;
Ｗは、水素、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、置換されていてもよいアルキルアミノ、置換されていてもよいアルカノイル、置換されていてもよい脂環式アリール、又は置換されていてもよいアラルキルであり;
Ｒ１は独立して、ハロゲン、アミノ、ヒドロキシ、ニトロ、カルボキシ、スルフヒドリル、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノ、置換されていてもよいアルカノイル、置換されていてもよい脂環式アリール、又は置換されていてもよいアラルキルであり;
ｍとｎはそれぞれ独立に０から４までの整数であり；
ｐは１または２であり;及び
ｑは０から５までの整数である。）
【請求項１６】化合物が下記式（ＩＶ）で表される化合物である。請求項１３に組成物。
2002525323.tif 000011
（式中、各Ｘ、各Ｙ、各Ｘ’、各Ｙ’および各Ｚはそれぞれ独立して、水素、ハロゲン、ヒドロキシル、スルフヒドリル、アミノ、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、または置換されていてもよいアルキルアミノであり;
Ｒ１は独立して、ハロゲン、アミノ、ヒドロキシ、ニトロ、カルボキシ、スルフヒドリル、置換されていてもよいアルキル、置換されていてもよいアルケニル、置換されていてもよいアルキニル、置換されていてもよいアルコキシ、置換されていてもよいアルキルチオ、置換されていてもよいアルキルスルフィニル、置換されていてもよいアルキルスルホニル、置換されていてもよいアルキルアミノ、置換されていてもよいアルカノイル、置換されていてもよい脂環式アリール又は置換されていてもよいアラルキルであり；
ｍとｎは独立に０から４までの整数であり；
ｐは１または２であり;及び
ｑは０から５までの整数である。）
【請求項１７】哺乳動物がヒトである、請求項１３〜１６のいずれかに記載の組成物。